(57)【特許請求の範囲】
【請求項１】
アンテナシステムであって、
第一の金属ラジエーター、第二の金属ラジエーター、第一のマッチングネットワーク、第二のマッチングネットワーク、第一のＲＦパス及び第二のＲＦパスを含み、
前記第一の金属ラジエーターの末端が前記アンテナシステムの第一の給電点に接続され、前記第一の給電点が第一のマッチングネットワークを介して前記第一の無線周波数(ＲＦ)パスに接続され、
前記第二の金属ラジエーターの末端が前記アンテナシステムの第二の給電点に接続され、前記第二の給電点が第二のマッチングネットワークを介して前記第二のＲＦパスに接続され、
前記第二の金属ラジエーターは全地球測位システム（ＧＰＳ）Ｌ５波長帯に対応する周波数帯域の共振周波数を形成するように構成され、
前記第一の金属ラジエーターは端末の第一の金属フレームであり、前記第二の金属ラジエーターは前記端末の第二の金属フレームであり、前記第一の金属フレームの末端が前記第二の金属フレームの末端に隣接し、前記第一の給電点が前記第二の給電点に隣接し、前記第一の金属フレームの末端と前記第二の金属フレームの末端との間に隙間があり、前記隙間の幅は０．５ｍｍ〜３ｍｍであり、
前記第一の金属フレームは横方向延長部分及び縦方向延長部分を含み、前記横方向延長部分及び前記縦方向延長部分の総長さが１０ｍｍ〜３０ｍｍであり、前記第二の金属フレームの長さが３０ｍｍ未満であり、
前記第二のマッチングネットワークはさらに一つのローパスフィルタとして機能する、アンテナシステム。
【請求項２】
前記第一の金属ラジエーターは全地球測位システム（ＧＰＳ）Ｌ１波長帯に対応する周波数帯域の共振周波数、ワイヤレスフィデリティ（ＷｉＦｉ）の２．４ＧＨｚ周波数帯域の共振周波数及び５ＧＨｚ周波数帯域の共振周波数を形成するように構成される、請求項１に記載のアンテナシステム。
【請求項３】
前記第一のマッチングネットワークは、
第一のコンデンサ、第二のコンデンサ、第一のインダクタ及び第二のインダクタを含み、
前記第一のコンデンサの第一の端部が前記第一の給電点に接続され、前記第一のコンデンサの第二の端部が前記第二のコンデンサの第一の端部及び前記第一のインダクタの第一の端部に接続され、
前記第一のインダクタの第二の端部が前記第二のコンデンサの第二の端部、前記第二のインダクタの第一の端部及び前記第一のＲＦパスに接続され、前記第二のインダクタの第二の端部が接地する、請求項１に記載のアンテナシステム。
【請求項４】
前記第二のマッチングネットワークは、
第三のコンデンサ及び第三のインダクタを含み、
前記第三のコンデンサの第一の端部が前記第二の給電点及び前記第三のインダクタの第一の端部に接続され、前記第三のコンデンサの第二の端部が接地し、
前記第三のインダクタの第二の端部が前記第二のＲＦパスに接続される、請求項１〜３のいずれか一項に記載のアンテナシステム。
【請求項５】
前記第一の金属ラジエーターによって形成された共振周波数は前記第二の金属ラジエーターによって形成された共振周波数より大きい、請求項１〜４のいずれか一項に記載のアンテナシステム。
【請求項６】
端末であって、
請求項１〜５のいずれか一項に記載のアンテナシステムを備える、端末。
【発明の詳細な説明】
【技術分野】
【０００１】
関連出願への相互参照
本出願は出願番号が２０１８１１０１４０６６．０であり、出願日が２０１８年８月３１日である中国特許出願に基づいて提出され、該中国特許出願の優先権を主張し、該中国特許出願の全ての内容は参照により本明細書に組み込まれる。
【０００２】
本開示の実施例は通信技術分野に関し、特にアンテナシステム及び端末に関する。
【背景技術】
【０００３】
関連技術では、より多くの機能を実現するために、端末はより多くの周波数帯域の無線周波数（ＲＦ）信号を伝送できるアンテナを追加する必要があり、例えば、衛星ナビゲーションの測位精度を向上させるために、現在１１７６．４５ＭＨｚを３番目の民間信号として追加するため、端末は該周波数帯域のＲＦ信号を伝送できるアンテナを追加する必要もある。しかし、端末における元のアンテナに影響を与えることなく、アンテナで満たされている端末にどのようにアンテナを追加するかは、現在の解決すべき緊急な課題である。
【発明の概要】
【発明が解決しようとする課題】
【０００４】
関連技術の問題を解決するために、本開示の実施例はアンテナシステム及び端末を提供する。
【課題を解決するための手段】
【０００５】
本開示の実施例の一つの態様によるアンテナシステムは、第一の金属ラジエーター、第二の金属ラジエーター、第一のマッチングネットワーク、第二のマッチングネットワーク、第一の無線周波数（ＲＦ：Ｒａｄｉｏ  Ｆｒｅｑｕｅｎｃｙ）パス及び第二のＲＦパスを含み、前記第一の金属ラジエーターの末端が前記アンテナシステムの第一の給電点に接続され、前記第一の給電点が第一のマッチングネットワークを介して前記第一のＲＦパスに接続され、前記第二の金属ラジエーターの末端が前記アンテナシステムの第二の給電点に接続され、前記第二の給電点が第二のマッチングネットワークを介して前記第二のＲＦパスに接続される。
【０００６】
選択可能に、前記第一の金属ラジエーターは端末の第一の金属フレームであり、前記第二の金属ラジエーターは前記端末の第二の金属フレームであり、前記第一の金属フレームの末端が前記第二の金属フレームの末端に隣接し、前記第一の金属フレームの末端と前記第二の金属フレームの末端との間に隙間がある。
【０００７】
選択可能に、前記隙間の幅は０．５ｍｍ〜３ｍｍである。
【０００８】
選択可能に、前記第一の金属フレームは横方向延長部分及び縦方向延長部分を含み、前記横方向延長部分及び前記縦方向延長部分の総長さが１０ｍｍ〜３０ｍｍであり、前記第二の金属フレームの長さが３０ｍｍ未満である。
【０００９】
選択可能に、前記第一の金属ラジエーターは全地球測位システム（ＧＰＳ：Ｇｌｏｂａｌ  Ｐｏｓｉｔｉｏｎｉｎｇ  Ｓｙｓｔｅｍ）Ｌ１波長帯に対応する周波数帯域の共振周波数、ワイヤレスフィデリティ（ＷｉＦｉ：Ｗｉｒｅｌｅｓｓ  Ｆｉｄｅｌｉｔｙ）の２．４ＧＨｚ周波数帯域の共振周波数及び５ＧＨｚ周波数帯域の共振周波数を形成するように構成される。
【００１０】
選択可能に、前記第二の金属ラジエーターはＧＰＳ  Ｌ５波長帯に対応する周波数帯域の共振周波数を形成するように構成される。
【００１１】
選択可能に、前記第一のマッチングネットワークは第一のコンデンサ、第二のコンデンサ、第一のインダクタ及び第二のインダクタを含み、
前記第一のコンデンサの第一の端部が前記第一の給電点に接続され、前記第一のコンデンサの第二の端部が前記第二のコンデンサの第一の端部及び前記第一のインダクタの第一の端部に接続され、前記第一のインダクタの第二の端部が前記第二のコンデンサの第二の端部、前記第二のインダクタの第一の端部及び前記第一のＲＦパスに接続され、前記第二のインダクタの第二の端部が接地する。
【００１２】
選択可能に、前記第二のマッチングネットワークは第三のコンデンサ及び第三のインダクタを含み、前記第三のコンデンサの第一の端部が前記第二の給電点及び前記第三のインダクタの第一の端部に接続され、前記第三のコンデンサの第二の端部が接地し、前記第三のインダクタの第二の端部が前記第二のＲＦパスに接続される。
【００１３】
選択可能に、前記第一の金属ラジエーターによって形成された共振周波数は前記第二の金属ラジエーターによって形成された共振周波数より大きい。
【００１４】
本開示の実施例の第二の態様による端末は、本開示の実施例の第一の態様に記載されるいずれかのアンテナシステムを備える。
【発明の効果】
【００１５】
本開示の実施例による技術的解決策は、以下のような有益な効果を含むことができる。
【００１６】
本開示の実施例のアンテナシステムでは、２つのマッチングネットワーク及び２つのＲＦパスを使用してそれぞれ第一の金属ラジエーター及び第二の金属ラジエーターに接続され、２つのアンテナシステムを形成し、該２つのアンテナシステムが互いのＲＦ信号を効果的に隔離することができ、両者間の相互影響が回避され、アンテナシステムの放射効率が向上する。
【００１７】
理解すべきものとして、以上の一般的な説明及び以下の詳細な説明は、例示的かつ説明的なものだけであり、本開示の実施例を限定することができない。
【図面の簡単な説明】
【００１８】
【図１】一つの例示的な実施例によるアンテナシステムの概略図である。
【図２】一つの例示的な実施例による第一のマッチングネットワークの概略図である。
【図３】一つの例示的な実施例による第二のマッチングネットワークの概略図である。
【図４】一つの例示的な実施例によるスミスチャート上のアンテナシステム１のトレースの概略図である。
【図５】一つの例示的な実施例による第二のマッチングネットワークの指向性伝送係数の概略図である。
【図６】一つの例示的な実施例によるアンテナシステム１のリターンロスパフォーマンスグラフである。
【図７】一つの例示的な実施例によるアンテナシステム２のリターンロスパフォーマンスグラフである。
【図８】一つの例示的な実施例による第一のマッチングネットワーク及び第二のマッチングネットワークによってマッチングされる前のアンテナシステム１とアンテナシステム２との間の隔離度が周波数に伴って変化するグラフである。
【図９】一つの例示的な実施例による第一のマッチングネットワーク及び第二のマッチングネットワークによってマッチングされた後のアンテナシステム１とアンテナシステム２との間の隔離度が周波数に伴って変化するグラフである。
【図１０】一つの例示的な実施例によるアンテナシステムの効率グラフである。
【図１１】一つの例示的な実施例による端末のブロック図である。
【発明を実施するための形態】
【００１９】
ここでの図面は本明細書に組み込まれてその一部を構成し、本開示に該当する実施例を示し、そして明細書と共に本開示の実施例の原理を解釈することに用いられる。
【００２０】
ここで例示的な実施例を詳細に説明し、その例が図面に示される。以下の説明が図面に関する場合、特に明記しない限り、異なる図面における同じ数字が同一又は類似の要素を指す。以下の例示的な実施例に記載される実施形態は本開示の実施形態と一致する全ての実施形態を表すものではない。逆に、それらは、添付の特許請求の範囲に詳細に説明される、本開示の実施例のいくつかの態様と一致する装置及び方法の例だけである。
【００２１】
図１は一つの例示的な実施例によるアンテナシステムの概略図である。図１に示すように、該アンテナシステムは、
第一の金属ラジエーター１１、第二の金属ラジエーター１２、第一のマッチングネットワーク、第二のマッチングネットワーク、第一のＲＦパス及び第二のＲＦパスを含み、
図１に示すように、第一の金属ラジエーター１１の末端がアンテナシステムの第一の給電点１３に接続され、第一の給電点１３が第一のマッチングネットワークを介して前記第一のＲＦパスに接続され、
第二の金属ラジエーター１２の末端がアンテナシステムの第二の給電点１４に接続され、第二の給電点１４が第二のマッチングネットワークを介して第二のＲＦパスに接続される。
【００２２】
可能な実施形態では、上記アンテナシステムは端末に設置されてもよく、端末の金属フレームの良好な放射能力を十分に利用するために、端末の一部の金属フレームを上記第一の金属ラジエーター及び第二の金属ラジエーターとして使用することができる。
【００２３】
上記アンテナシステムはアンテナシステム１及びアンテナシステム２という２つのアンテナシステムに分けられてもよく、ここで、アンテナシステム１が第一の金属放射ラジエーター及び該アンテナシステムのメイングランドを含むことができ、第一のラジエーターの先端部（末端と逆の別の端部）とアンテナシステム１のメイングランドが接地し、アンテナシステム２が第二の金属ラジエーター及び該アンテナシステムのメイングランドを含むことができ、第二の放射体の先端（末端と逆の端部）とアンテナシステム２のメイングランドが接地し、ここで、アンテナシステムのメイングランドが端末の一部の金属メタルバックシェル及び端末の金属ミドルフレームなどを含むことができ、アンテナシステム１及びアンテナシステム２が同一のメイングランドを共用することができる。
【００２４】
図１に示すように、ここで、エリア１５はアンテナシステムにおける非金属材質の隙間及び／又はブレークポイントであり、該隙間又はブレークポイントが例えば１．５ｍｍであってもよい。上記第一のＲＦパス及び第二のＲＦパスはＲＦ信号処理及び信号伝送を行うためのリンクであってもよく、該リンクが複数の電子部材を含むことができ、例えば低ノイズ増幅器、選択スイッチ、電力増幅器及びＲＦ送受信機などのうちの一つ又は複数を含むことができる。
【００２５】
可能な実施形態では、アンテナシステム１及びアンテナシステム２がそれぞれ異なる周波数帯域を覆うことが可能となるように、第一のマッチングネットワークと第二のマッチングネットワークは異なる構造を有するＬＣ回路であってもよい。
【００２６】
本開示の実施例のアンテナシステムでは、２つのマッチングネットワーク及び２つのＲＦパスを使用してそれぞれ第一の金属ラジエーター及び第二の金属ラジエーターに接続され、２つのアンテナシステムを形成し、該２つのアンテナシステムが互いのＲＦ信号を効果的に隔離することができ、両者間の相互影響が回避され、アンテナシステムの放射効率が向上する。
【００２７】
可能な実施形態では、図１に示すように、上記アンテナシステムは端末に応用されてもよく、これに基づき、第一の金属ラジエーターは端末の第一の金属フレームであってもよく、第二の金属ラジエーターは端末の第二の金属フレームであってもよく、第一の金属フレームの末端が第二の金属フレームの末端に隣接し、第一の金属フレームの末端と第二の金属フレームの末端との間に隙間があり、第一の給電点が第一の金属ラジエーターの末端に接続され、第二の給電点と第二の金属ラジエーターの末端に接続され、本実施例において、第一の給電点と第二の給電点との間の距離が近いため、第一の給電点の属するアンテナシステム１と第二の給電点の属するアンテナシステム２との間の距離を増大し、両者間の相互影響をできるだけ減少することができる。
【００２８】
可能な実施形態では、上記第一の金属フレームと上記第二の金属フレームとの間の隙間の幅が０．５ｍｍ〜３ｍｍであってもよい。該隙間が広いほど、２つのアンテナシステムとの間の隔離性が良くなるが、該隙間が広いほど、端末のサイズがこれに対応して大きくなり、そのため該隙間の幅は実際ニーズに応じて設定されてもよい。
【００２９】
可能な実施形態では、図１に示すように、第一の金属フレームは横方向延長部分（例えば端末の短辺に沿って延長する部分）及び縦方向延長部分（例えば端末の長辺に沿って延長する部分）を含むことができ、ＧＰＳ  Ｌ５波長帯の対応する周波数ポイント及びＷＩＦＩ  ５Ｇ周波数帯域の対応する周波数ポイントがスミスチャートの感知エリアに入ることができ、ＷＩＦＩ２．４Ｇ周波数帯域の対応する周波数ポイントがスミスチャートの容量性エリアに入ることができるように該横方向延長部分及び縦方向延長部分が要求される。この時に第一のマッチングネットワークの容量値を調整することにより、３つの周波数帯域の対応する共振を実現することができる。端末の実際設計を考慮する場合、金属フレーム及び非金属材料充填隙間の違いがあり、アンテナ波長原理に応じて、前記横方向延長部分及び前記縦方向延長部分の総長さが１０〜３０ｍｍであってもよい。アンテナシステム１及びアンテナ２の２つの給電点との間の距離が近い場合、２つのアンテナシステム間の隔離性が悪く、この状況を回避するために、アンテナシステム２における第二の金属フレームの長さを合理的に短縮させ、第二のマッチングネットワークの等価ローパスフィルタの作用と組み合わせて解決することができる。通常、１．２ＧＨｚ周波数帯域の共振周波数を形成する必要がある場合、金属ラジエーターの有効長さが四分の一の波長で、約６０ｍｍであり、本実施例では、第二の金属ラジエーターの長さを３０ｍｍ未満に設定することにより、１．２ＧＨｚの周波数ポイントがスミスチャート（反射系散在平面に正規化された入力インピーダンス（又はアドミッタンス）等価円群がプロットされた計算グラフ）の第一の象限に入ることが可能になり、同様に第二のマッチングネットワークによってアンテナシステム２をスミスチャートのの５０オームに近くの領域にマッチングさせることができる。
【００３０】
可能な実施形態では、ＧＰＳ（全地球測位システム：Ｇｌｏｂａｌ  Ｐｏｓｉｔｉｏｎｉｎｇ  Ｓｙｓｔｅｍ）Ｌ５波長帯に対応する周波数帯域の実際の周波数帯域が狭いことを考慮する場合、第二の金属フレームの長さを短く設定することができ、例えば第二の金属フレームの長さを１２ｍｍに設定することができる。
【００３１】
可能な実施形態では、アンテナシステムの帯域幅とアンテナの伝送効率などの性能を考慮する場合、１２ｍｍに基づいて第二の金属フレームの長さを適切に長くすることができ、例えば、第二の金属フレームの長さを３０ｍｍに設定する。
【００３２】
可能な実施形態では、上記第一の金属ラジエーターはＧＰＳ  Ｌ１波長帯に対応する周波数帯域の共振周波数、ＷｉＦｉの２．４ＧＨｚ周波数帯域の共振周波数及び５ＧＨｚ周波数帯域の共振周波数を形成するように構成されてもよく、これに対応して、上記第一のＲＦパスはＧＰＳ  Ｌ１波周波数帯域に対応する周波数帯域、ＷｉＦｉ２．４周波数帯域及び５ＧＨｚ周波数帯域のスリーインワンＲＦパスであってもよく、これらの周波数帯域のＲＦ信号を処理及び伝送することに用いられてもよい。
【００３３】
可能な実施形態では、上記第二の金属ラジエーターはＧＰＳ  Ｌ５波長帯に対応する周波数帯域の共振周波数を形成するように構成されてもよく、これに対応して、上記第二のＲＦパスはＧＰＳ  Ｌ５波長帯に対応する周波数帯域のＲＦパスであってもよく、該周波数帯域のＲＦ信号を処理及び伝送することに用いられてもよい。本実施例では、金属フレームの優れた放射能力を利用し、一つのＲＦパスを個別に使用して新しく追加されたＧＰＳ  Ｌ５周波数帯域のＲＦ信号を伝送し、該ＲＦパスに接続された第二のマッチングネットワークがマッチングとして機能することができるだけでなく、一つのローパスフィルタとして元のスリーインワンアンテナを隔離し、２つのアンテナシステム間の隔離度の大幅な向上を達成することができ、元の３つの周波数帯域のアンテナシステムの性能が低下しないことが保証されることに基づき、ＧＰＳ  Ｌ５の放射効率が向上し、異なるアンテナシステム間の隔離度も保証される。
【００３４】
図２は一つの例示的な実施例による第一のマッチングネットワークの概略図である。図２に示すように、該第一のマッチングネットワークは、
第一のコンデンサ２１、第二のコンデンサ２２、第一のインダクタ２３及び第二のインダクタ２４を備えることができる。
【００３５】
第一のコンデンサ２１の第一の端部が第一の給電点１３に接続され、第一のコンデンサ２１の第二の端部が第二のコンデンサ２２の第一の端部及び第一のインダクタ２３の第一の端部に接続される。
【００３６】
第一のインダクタ２３の第二の端部が第二のコンデンサ２２の第二の端部、第二のインダクタ２４の第一の端部及び第一のＲＦパス２５に接続され、第二のインダクタ２４の第二の端部が接地する。該第一のマッチングネットワークはアンテナシステム１のＧＰＳ  Ｌ１波長帯に対応する周波数帯域、ＷｉＦｉ  ２．４ＧＨｚ及びＷｉＦｉ  ５ＧＨｚをスミスチャートの５０オームエリアの付近にマッチングさせ、該３つの周波数帯域の共振周波数を励起することができる。
【００３７】
図３は一つの例示的な実施例による第二のマッチングネットワークの概略図である。図３に示すように、該第二のマッチングネットワークは第三のコンデンサ３１及び第三のインダクタ３２を含むことができ、第三のコンデンサ３１の第一の端部が第二の給電点１４及び第三のインダクタ３２の第一の端部に接続され、第三のコンデンサ３１の第二の端部が接地し、第三のインダクタ３２の第二の端部が第二のＲＦパス３３に接続される。該第二のマッチングネットワークはＧＰＳ  Ｌ５波長帯に対応する周波数帯域をスミスチャートの５０オームエリアの付近にマッチングさせ、該周波数帯域の共振周波数を励起することができ、図４に示すように、曲線Ａはいかなるマッチングネットワークを追加しない場合のスミスチャート上のアンテナシステム１のトレースであり、ここで、ｍａｒｋ１点がＧＰＳ  Ｌ５波長帯の中心周波数であり、曲線Ｂがｍａｒｋ１点に対する第二のマッチングネットワークのマッチング役割である。該第二のマッチングネットワークはさらに一つのローパスフィルタとして機能することができる。図５は一つの例示的な実施例による第二のマッチングネットワークの指向性伝送係数の概略図である。図５に示すように、ＧＰＳ  Ｌ１波長帯に対応する周波数帯域の中心周波数ポイントに１６ｄＢ以上の挿入損失があり、ＷｉＦｉ  ２．４ＧＨｚ及びＷｉＦｉ  ５ＧＨｚの範囲内の挿入損失がより高く、そのため第二のマッチングネットワーク、アンテナシステム２はアンテナシステム１のＲＦ信号を効果的に隔離することができる。
【００３８】
上記第二のマッチングネットワークはさらにより複雑なフィルタネットワーク、例えば並列インダクタ、直列コンデンサ、並列コンデンサ、直列ンダクタの周波数セレクタ、又はアンテナシステム２に対するノッチフィルタなどのうちのいずれか一つを使用することができる。一つの実施形態では、一つの端末において、アンテナ２は最低周波数帯域のＲＦ信号を伝送するように構成されてもよく、アンテナシステム１は残りの高周波長帯のＲＦ信号を伝送するように構成されてもよく、例えば、アンテナシステム２はＧＰＳ  Ｌ１波長帯に対応する周波数帯域を覆い、アンテナシステム１はセルラー移動通信ネットワークにおける中及び高の共通周波数帯域（１．７１ＧＨｚ−２．６９ＧＨｚ）を覆う。
【００３９】
上記アンテナシステム１及びアンテナシステム２はそれぞれ図６と図７に示すアンテナシステムのリターンロスパフォーマンスを実現することができる。図８は第一のマッチングネットワーク及び第二のマッチングネットワークによってマッチングされる前のアンテナシステム１とアンテナシステム２との間の隔離度が周波数に伴って変化するグラフである。図８から分かるように、２つのアンテナシステムとの間の隔離性能が悪く、最も悪い周波数ポイントの隔離度が−２．４４ｄＢだけである。図９は第一のマッチングネットワーク及び第二のマッチングネットワークによってマッチングされた後のアンテナシステム１とアンテナシステム２との間の隔離度が周波数に伴って変化するグラフである。図９から分かるように、マッチングされた２つのアンテナシステムとの間の隔離度が−１４．３４ｄＢに達成し、１１．９ｄＢ大幅に向上する。
【００４０】
図１０は一つの例示的な実施例によるアンテナシステムの効率グラフである。図１０に示すように、各周波数帯域における該アンテナシステムの効率が移動端末アンテナの従来の基準を満たすことができる。実際にテストした後、上記アンテナシステムは、測位精度を効果的に向上させ、特に橋を有する都市道路及び高層ビルの非開放環境において、動作トレースの測位及び取得の精度が明らかに向上する。本開示の実施例のアンテナシステムにおけるアンテナシステム２は、サイズが小さく、ＧＰＳ  Ｌ５波長帯の効率が高く、他の３つの周波数帯域のアンテナに対する影響が小さく、且つ別個の第二のマッチングネットワーク及び第二のＲＦパスが使用されるため、ＲＦパスの損失がより小さく、一方、他の３つの周波数帯域のアンテナのデバッグがより独立して柔軟性を有し、４つの周波数帯域のデバッグにおいてある周波数帯域が他の３つの周波数帯域に影響を与えて周波数オフセットが発生するという問題を解決することができる。
【００４１】
本開示の実施例ではさらに端末が提供され、該端末は上記のいずれかのアンテナシステムを備え、該端末は例えばインテリジェント移動端末であり、又は測位及びＷｉＦｉ用途を含むインテリジェントデバイスを内蔵する。
【００４２】
図１１は一つの例示的な実施例による端末のブロック図である。例えば、端末８００は移動電話、コンピュータ、デジタル放送端末、メッセージ送受信機、ゲームコンソール、タブレットデバイス、医療デバイス、フィットネスデバイス、パーソナルデジタルアシスタントなどであってもよい。
【００４３】
図１１を参照すると、端末８００は処理コンポーネント８０２、メモリ８０４、電源コンポーネント８０６、マルチメディアコンポーネント８０８、オーディオコンポーネント８１０、入力/出力（Ｉ／０）インターフェイス８１２、センサコンポーネント８１４、及び通信コンポーネント８１６の一つ又は複数を含むことができる。
【００４４】
処理コンポーネント８０２は一般的に端末８００の全体操作、例えば表示、電話コール、データ通信、カメラ操作と記録操作に関連する操作を制御する。処理コンポーネント８０２は一つ又は複数のプロセッサ８２０を含んで命令を実行し、上記の方法の全て又は一部のステップを完了することができる。また、処理コンポーネント８０２と他のコンポーネントとの間のインタラクションを容易にするように、処理コンポーネント８０２は一つ又は複数のモジュールを含むことができる。例えば、マルチメディアコンポーネント８０８と処理コンポーネント８０２との間のインタラクションを容易にするように、処理コンポーネント８０２はマルチメディアモジュールを含むことができる。
【００４５】
メモリ８０４は端末８００の操作をサポートするために様々なタイプのデータを記憶するように構成される。これらのデータの例は端末８００で実行されるいかなるアプリケーションプログラム又は方法のための命令、連絡先データ、電話帳データ、メッセージ、ピクチャー、ビデオなどを含む。メモリ８０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクのようないかなるタイプの揮発性又は不揮発性ストレージデバイス又はそれらの組み合わせで実現されてもよい。
【００４６】
電源コンポーネント８０６は端末８００の様々なコンポーネントに電力を供給する。電源コンポーネント８０６は電源管理システム、一つ又は複数の電源、及び端末８００のための電力の生成、管理及び割り当てに関連する他のコンポーネントを含むことができる。
【００４７】
マルチメディアコンポーネント８０８は前記端末８００とユーザとの間の出力インタフェースを供給するスクリーンを含む。いくつかの実施例では、スクリーンは液晶ディスプレイ（ＬＣＤ）及びタッチパネル（ＴＰ）を含むことができる。スクリーンがタッチパネルを含む場合、スクリーンは、ユーザからの入力信号を受信するようにタッチスクリーンとして実現されてもよい。タッチパネルは、タッチ、スライドとタッチパネル上のジェスチャをセンシングするように一つ又は複数のタッチセンサーを含む。前記タッチセンサーはタッチ又はスライド動作の境界をセンシングすることだけでなく、前記タッチ又はスライド動作に関連する持続時間及び圧力を検出することができる。いくつかの実施例では、マルチメディアコンポーネント８０８は一つのフロントカメラ及び/又はリアカメラを含む。端末８００が動作モード、撮影モード又はビデオモードにある場合、フロントカメラ及び/又はリアカメラは外部のマルチメディアデータを受信することができる。各フロントカメラとリアカメラは一つの固定された光学レンズシステムであってもよく、又は焦点距離及び光学ズームを有する。
【００４８】
オーディオコンポーネント８１０はオーディオ信号を出力及び／又は入力するように構成される。例えば、オーディオコンポーネント８１０は一つのマイク（ＭＩＣ）を含み、端末８００が動作モード、例えばコールモード、記録モードと音声識別モードにある場合、マイクは外部オーディオ信号を受信するように構成される。受信されたオーディオ信号はさらにメモリ８０４に記憶されてもよく、又は通信コンポーネント８１６を介して送信されてもよい。いくつかの実施例では、オーディオコンポーネント８１０はさらにオーディオ信号を出力するように構成されるスピーカーを含む。
【００４９】
Ｉ／Ｏインタフェース８１２は処理コンポーネント８０２と周辺インターフェースモジュールとの間のインタフェースを供給し、上記周辺インタフェースモジュールがキーボード、クリックホイール、ボタンなどであってもよい。これらのボタンはホームボタン、音量ボタン、開始ボタンとロックボタンを含むがこれらに限定されない。
【００５０】
センサーコンポーネント８１４は端末８００に各方面の状態評価を供給するように構成された一つ又は複数のセンサーを含む。例えば、センサーコンポーネント８１４は、端末８００のオープン／オフ状態、コンポーネントの相対的な測位、例えば前記コンポーネントが端末８００のディスプレイとキーパッドであることを検出することができ、センサーコンポーネント８１４はさらに端末８００又は端末８００の一つのコンポーネントの位置変化、ユーザと端末８００の接触の有無、端末８００の方位又は加速／減速と端末８００の温度変化を検出することができる。センサーコンポーネント８１４はさらにいかなる物理的接触がない時に近くの物体の存在を検出するように構成された近接センサを含むことができる。センサーコンポーネント８１４はさらに光センサー、例えばイメージングアプリケーションで使用するように構成されたＣＭＯＳ又はＣＣＤ画像センサーを含むことができる。いくつかの実施例では、該センサーコンポーネント８１４はさらに加速度センサー、ジャイロセンサー、磁気センサー、圧力センサー又は温度センサーを含むことができる。
【００５１】
通信コンポーネント８１６は端末８００と他の装置との間の有線又は無線方式の通信を容易にするように構成される。端末８００は通信規格に基づく無線ネットワーク、例えばＷｉＦｉ、２Ｇ又は３Ｇ又はそれらの組み合わせにアクセスすることができる。一つの例示的な実施例では、通信コンポーネント８１６はブロードキャストチャネルを介して外部ブロードキャスト管理システムからのブロードキャスト信号又はブロードキャスト関連情報を受信する。一つの例示的な実施例では、前記通信コンポーネント８１６はさらに近距離通信を推進するための近距離通信（ＮＦＣ）モジュールを含む。例えば、ＮＦＣモジュールはＲＦ識別（ＲＦＩＤ）技術、赤外線データ協会（ＩｒＤＡ）技術、超広帯域（ＵＷＢ）技術、ブルートゥース（登録商標）（ＢＴ）技術と他の技術に基づいて実現されてもよい。
【００５２】
例示的な実施例では、端末８００は一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子によって実現されてもよく、上記方法を実行するように構成される。
【００５３】
当業者は明細書を考慮してここで開示された発明を実施した後、本開示の実施例の他の実施形態を容易に想到する。本出願は本開示の実施例のいかなる変形、用途又は適応変化を包含することを意図し、これらの変形、用途又は適応変化が本開示の実施例の一般的な原理に従い且つ本開示の実施例で開示されない本技術分野における公知常識又は慣用技術手段を含む。明細書と実施例が単なる例示的なものとみなし、本開示の実施例の真の範囲及び精神は以下の請求項によって指摘される。
【００５４】
理解すべきものとして、本開示の実施例は以上に説明され且つ図面に示された正確な構造に限定されなく、そしてその範囲から逸脱することなく様々な変更及び変形を行うことができる。本開示の実施例の範囲は添付の特許請求の範囲のみによって限定される。
【産業上の利用可能性】
【００５５】
本開示の実施例による技術的解決策は、以下のような有益な効果を含むことができる。
【００５６】
本開示の実施例のアンテナシステムでは、２つのマッチングネットワーク及び２つのＲＦパスを使用してそれぞれ第一の金属ラジエーター及び第二の金属ラジエーターに接続され、２つのアンテナシステムを形成し、該２つのアンテナシステムが互いのＲＦ信号を効果的に隔離することができ、両者間の相互影響が回避され、アンテナシステムの放射効率が向上する。
【図１】
0006886035.tif 000002
【図２】
0006886035.tif 000003
【図３】
0006886035.tif 000004
【図４】
0006886035.tif 000005
【図５】
0006886035.tif 000006
【図６】
0006886035.tif 000007
【図７】
0006886035.tif 000008
【図８】
0006886035.tif 000009
【図９】
0006886035.tif 000010
【図１０】
0006886035.tif 000011
【図１１】
0006886035.tif 000012